(57)【要約】【課題】  自動車に横置きに搭載するパワープラントＰのマウント３，５（防振マウント装置）に一体的に設ける揺動規制機構４を、コストアップの少ない簡単な構造としながら、トルクロッドと同様の機能を有するものとする。【解決手段】  エンジン側のマウント３において、そのマウント本体部３０の上方を前後に跨ぐようにして逆Ｕ字状のストッパ金具４０を配設するとともに、マウント本体部３０のケーシング３１後端からストッパ金具４０の後側脚部４０ｃに向かって突出するようにストッパゴム４２を形成する。このストッパゴム４２の内部にすぐり４３を形成するとともに、金属製の芯体４４を埋設して、該芯体４４をリンクのように左右方向の軸周りに回動可能とする。これにより、ストッパゴム４２が前後方向の圧縮力を受けた状態でも比較的容易に上下方向へ剪断変形するようになり、急加速時等にストッパが作動してもマウント３の上下動ばねが高くならないので、自動車の加速こもり音を十分に抑制できる。【選択図】      図４
2005221015.tif 000002
【特許請求の範囲】
【請求項１】
長手方向が車体の左右方向となるように車両に搭載されるパワープラントの左右少なくとも一方の端部を車体に対して弾性支持するとともに、該パワープラントのロール方向の揺動を規制するための揺動規制機構を備えた防振マウント装置であって、
前記揺動規制機構は、互いに前後方向に対向する車体側部材とパワープラント側部材との間で少なくとも前後方向の圧縮力を受ける前後力受部材を備え、
前記前後力受部材が、ゴム部と、該ゴム部よりも剛性の高い材料で形成された芯体とからなり、且つ、該芯体が少なくとも左右方向の軸周りに回動可能となるように前記ゴム部内に中空部が形成されていることを特徴とする防振マウント装置。
【請求項２】
中空部はゴム部外と連通するように形成され、
前記中空部を囲むゴム部の前後少なくとも一方の内壁面がその上下いずれか一方で中空部内に膨出していて、少なくとも該膨出部に芯体が埋設されていることを特徴とする請求項１の防振マウント装置。
【請求項３】
中空部は、前後力受部材のゴム部を上下に貫通するように設けられ、
膨出部は、前記中空部内の相対的に下側の部位に形成されていることを特徴とする請求項２の防振マウント装置。
【請求項４】
長手方向が車体の左右方向となるように車両に搭載されるパワープラントの左右少なくとも一方の端部を車体に対して弾性支持するとともに、該パワープラントのロール方向の揺動を規制するための揺動規制機構を備えた防振マウント装置であって、
前記揺動規制機構は、互いに前後方向に対向する車体側部材とパワープラント側部材との間で少なくとも前後方向の圧縮力を受ける前後力受部材を備え、
前記前後力受部材が、ゴム部と、該ゴム部よりも剛性の高い材料で形成された芯体とからなり、且つ、該芯体は、左右方向に見て、前後方向長さが上下方向長さ以上の矩形状とされていることを特徴とする防振マウント装置。
【請求項５】
パワープラントの静荷重が加わるマウント本体部の上方を前後方向に跨ぐようにして逆Ｕ字状の車体側部材が配設され、この車体側部材の前後一対の脚部の下端がそれぞれ前記マウント本体部の前方及び後方で車体サイドフレームに固定されており、
前後力受部材は、パワープラント側部材である前記マウント本体部外壁部の前後少なくとも一方の端部に配設され、その前後方向に対向する前記車体側部材の脚部に向かって突出していることを特徴とする請求項１〜４のいずれか１つの防振マウント装置。
【発明の詳細な説明】
【技術分野】
【０００１】
本発明は、自動車にパワープラントを搭載するための防振マウント装置に関し、特に、パワープラントのロール方向の揺動を規制するための機構を一体的に設ける場合の構造の技術分野に属する。
【背景技術】
【０００２】
従来より、例えばフロントエンジン・フロントドライブ（ＦＦ）方式の車両では、一般的に、パワープラントの長手方向（クランク軸の延びる方向）を車体の幅方向に向けて搭載し、その両端部をそれぞれエンジンルームの左右両端側に位置する車体サイドフレームに対して弾性支持するようにしている（いわゆる横置き搭載方式）。
【０００３】
このような横置き搭載方式としては、例えば特許文献１に開示されるように、左右両側の主マウントをパワープラントのロール慣性主軸（以下、単にロール軸という）に近接させて配置する慣性主軸マウントが主流である。これは、パワープラントの静荷重の殆どを受け持つ左右２つのマウントの支持剛性を確保しながら、ロール軸周りの動ばねを比較的柔らかなものとして、アイドル振動を効果的に低減することができるからである。
【０００４】
但し、そのようにロール軸周りの動ばねを柔らかくすると、例えば急加速時や急減速時のようにエンジンの駆動出力（トルク）が大きく変動するときには、その反力（トルク）によってパワープラント全体が大きくロール軸周りに回動（ローリング）することになるので、慣性主軸マウントの場合は前記左右の主マウント以外にローリングを規制するためのマウントを通常、パワープラントの前後に複数個、設けている。
【０００５】
この点、例えば特許文献２に開示されるように、左右の主マウントによるパワープラントの支持点をロール軸に対しやや高めに設定して、該パワープラント全体を振り子（ペンデュラム）のように揺動可能に支持するとともに、その揺れを規制するためのトルクロッドをパワープラントの下端部に配設して、車体側と連結するようにしたものがある（以下、ペンデュラムマウントと呼ぶ）。
【０００６】
このペンデュラムマウントでは、前記の一般的な慣性主軸マウントに比べて左右の主マウントがロール軸から離れているため、パワープラントのローリングに伴い前記主マウントに対し直接的に前後方向の力が作用することになり、言い換えると、該主マウント自体によってもローリングが規制されることになる。この点を考慮して、前記特許文献２に記載のものでは、パワープラント下端の独立のトルクロッドの他に、左右の主マウントにも各々トルクロッドを配設して、これにより前後方向の力を受け止めるようにしている。
【０００７】
ところが、そのように主マウントにもトルクロッドを配設する場合には、その分、マウントの構成部品の数が増えてしまい、組み立て工数も増えることから、かなりのコストアップを招くという問題がある。これは、トルクロッドを付けたことによってマウントの上下動が阻害されないように、該トルクロッドの前後両端部をそれぞれ水平軸の周りに回動可能に支持し、且つ振動が伝わらないようにゴムブッシュを介して連結するからである。
【０００８】
この点、より簡単な構造でマウントにおける変位を規制することのできるストッパ機構も種々、知られている。例えば、特許文献３、４に記載のものでは、パワープラント側に連結された部材の前後両側にそれぞれ突出するようにストッパゴム部を設けて、このストッパゴム部が各々前後方向に対向する車体側の部材に当接することによって、それ以上の変位を規制するようにしている。
【０００９】
また、そのようにストッパゴム部が車体側の部材に当接すると、このストッパゴム部を介してパワープラントの振動が車体側に伝達される虞れがあるので、前記特許文献５、６に記載のストッパ機構では、ストッパゴム部の先端に凸条部を設けたり、或いはストッパゴムの内部にすぐり（空洞部）を設けたりして、部分的に剛性を低下させるようにしている。これにより、例えば図７(a)に実線(I)で示すようにストッパの作動（Ｓ１）と同時にマウントのばね定数が急上昇することはなくなり、同図に破線(II)で示すようにストッパ作動初期のばね定数の上昇が比較的緩やかなものとなって振動を吸収できるようになる。
【特許文献１】仏国特許出願公開第２７３７００８号明細書
【特許文献２】独国特許出願公開第４２０９６１３号明細書
【特許文献３】特開２００３−１８４９３９号公報
【特許文献４】特開２００２−２５７１８２号公報
【特許文献５】特開昭６１−９２３２９号公報
【特許文献６】特公昭６０−０２５４１号公報
【発明の開示】
【発明が解決しようとする課題】
【００１０】
しかし、前記従来のストッパ機構（特許文献３〜６等）は、いずれも、トルクロッドのようにマウントへの前後方向入力を受け止めながら、その上下動を阻害せず、上下動ばねの上昇を最小限に抑えることのできるものではないので、上述したトルクロッドの代用にはなり得ない。
【００１１】
すなわち、まず前記特許文献３、４のものでは、上述したように、ストッパゴム部が車体側部材に当接して前後方向の押圧力を受け止めた状態では、圧縮されたゴムの弾性変形が前後方向だけでなく上下方向についても大幅に制限され、このストッパゴム部によって車体側部材がパワープラント側部材に対して拘束されることになる。このため、ストッパの作動と同時にマウント全体の前後及び上下の動ばねが急上昇し、防振性能が急激に悪化する（図７(a)(b)の実線のグラフを参照）。
【００１２】
例えば、自動車の加速時には、エンジンの往復慣性力等のアンバランスに起因して、パワープラント全体で上下方向の振動が大きくなることがあるが、このときに駆動反力によってパワープラントが後傾し、ストッパが作動して、前記のようにマウントの防振性能が急激に悪化すると、加速運転に伴う上下振動が車室内に伝播して、大きなこもり音を発生するという不具合が生じる。
【００１３】
これに対し、前記特許文献５、６のようにストッパゴム部の一部の剛性を低下させて、ストッパの作動初期においてゴムが比較的容易に弾性変形するようにしたとしても（図７(a)の破線のグラフを参照）、このことは、ストッパの作動に伴う前記のようなマウント防振性能の悪化を遅らせるだけであり、トルクロッドのように前後方向の荷重をしっかりと受け止めながら、マウント全体として上下動ばねの上昇を抑えて、上下振動を十分に吸収できるようにしたものではないのである。
【００１４】
本発明は、斯かる点に鑑みてなされたものであり、その目的とするところは、いわゆるＦＦ車等に横置きに搭載されるエンジン（パワープラント）の防振マウント装置において、これに一体的に設ける揺動規制機構の構成に工夫を凝らし、コストアップの少ない簡単な構造としながら、トルクロッドと同様の機能を有するものとすることにある。
【課題を解決するための手段】
【００１５】
前記の目的を達成するために、本願発明では、従来周知のストッパ機構の基本構造を利用し、ストッパゴムのような前後力受部材の内部に芯体をリンクのように回動可能に設けることで、この前後力受部材が前後方向の圧縮力を受けているときでも比較的容易に上下に剪断変形するものとして、車体側部材とパワープラント側部材とが比較的容易に上下に相対変位できるようにした。
【００１６】
具体的に、請求項１の発明は、長手方向が車体の左右方向となるように車両に搭載されるパワープラントの左右少なくとも一方の端部を車体に対して弾性支持するとともに、該パワープラントのロール方向の揺動を規制するための揺動規制機構を備えた防振マウント装置を対象とする。そして、前記揺動規制機構を、互いに前後方向に対向する車体側部材とパワープラント側部材との間で少なくとも前後方向の圧縮力を受ける前後力受部材を備えるものとし、さらに、その前後力受部材を、ゴム部と、該ゴム部よりも剛性の高い材料で形成された芯体とからなり、且つ、該芯体が少なくとも左右方向の軸周りに回動可能となるように前記ゴム部内に中空部の形成されている構成とする。
【００１７】
前記の構成により、例えば自動車の加速時や減速時等、駆動反力の作用によってパワープラントがロール軸周りに回動（ローリング）し、これにより防振マウント装置において車体側部材とパワープラント側部材とが前後に相対変位するときには、該両部材間の前後力受部材が前後方向の力を受け止めることで、パワープラントの揺れを規制することができる。
【００１８】
その際、前記前後力受部材のゴム部は前後方向に圧縮されて弾性変形し難い状態になるが、このゴム部内では芯体がリンクのように回動（以下、リンク作動ともいう）可能なように中空部が形成されており、その芯体の回動に伴い部材全体が比較的容易に上下に剪断変形するようになるので、前記車体側部材とパワープラント側部材とは比較的容易に上下に相対変位できて、上下振動の吸収が十分に行われる。
【００１９】
つまり、本願発明の揺動規制機構によれば、従来一般的なストッパ機構と同様の簡単な構造でありながら、それらとは異なり、ゴム部と一体に設けた芯体のリンク作動によってトルクロッドと同様の機能が得られ、パワープラントの揺れを効果的に規制しながら、防振マウントにおける上下振動の吸収性能を十分に維持することができる。
【００２０】
より具体的には、前記前後力受け部材の中空部をゴム部外と連通するように形成し、この中空部を囲むゴム部の前後少なくとも一方の内壁面を、その上下いずれか一方で中空部内に膨出させて、少なくとも該膨出部に芯体を埋設するものとする（請求項２）。こうすれば、前記前後力受部材が車体側部材とパワープラント側部材との間で圧縮力を受けて、ゴムの弾性変形により中空部が潰れるときに、芯体の備わる膨出部の上下いずれかで中空部の一部が潰れずに残ることになるので、ゴムの圧縮された状態でも芯体が上下に回動可能となり、これにより前記請求項１の発明の作用効果がより確実なものとなる。
【００２１】
前記の構成において、さらに、前記中空部は前後力受部材のゴム部を上下に貫通するように設けて、その中空部内の相対的に下側の部位に膨出部を形成するるのが好ましい（請求項３の発明）。
【００２２】
また、請求項４の発明は、前記請求項１の発明と同じ前提構成において、揺動規制機構を、互いに前後方向に対向する車体側部材とパワープラント側部材との間で少なくとも前後方向の圧縮力を受ける前後力受部材を備えるものとし、さらに、その前後力受部材を、ゴム部と、該ゴム部よりも剛性の高い材料で形成された芯体とからなり、且つ、該芯体が、左右方向に見て、前後方向長さが上下方向長さ以上の矩形状とされているものとする。このように芯体の形状を比較的前後に長いものとすれば、ゴム部内に中空部を形成しなくても芯体をリンク作動させることが可能になり、これにより、前記請求項１の発明と同じ作用効果が得られる。
【００２３】
さらにまた、前記した防振マウント装置の好ましい構造としては、例えば、パワープラントの静荷重が加わるマウント本体部の上方を前後方向に跨ぐようにして、逆Ｕ字状の車体側部材を配設し、この車体側部材の前後一対の脚部の下端をそれぞれ前記マウント本体部の前方及び後方で車体サイドフレームに固定する。そして、前後力受部材は、パワープラント側部材である前記マウント本体部外壁部の前後少なくとも一方の端部に配設して、その前後方向に対向する前記車体側部材の脚部に向かって突出させるようにする（請求項５の発明）。
【００２４】
この構成では、パワープラント側に連結されたマウント本体部の上方を跨ぐようにして逆Ｕ字状の車体側部材を配設するとともに、マウント本体部の外壁部に前後力受部材を配設することで、この前後力受部材をマウント本体部の前後いずれか、或いはその両方に設ける場合でも、従来公知のストッパゴム部と同様にマウント本体部と一体に成形することが可能になり、コスト低減が図られる。
【発明の効果】
【００２５】
以上、説明したように、本願発明に係る防振マウント装置によると、自動車のエンジンルームに横置き搭載するパワープラントの防振マウントに、トルクロッドの代わりとなる揺動規制機構を設ける場合に、従来周知のストッパ機構の基本構造を利用し、ストッパゴムのような前後力受部材の芯体をリンクのように左右方向軸周りに回動するように設けて、この前後力受部材が前後方向の圧縮力を受けているときでも比較的容易に上下に剪断変形するようにしたので、コストアップの少ない簡単な構造でありながら、トルクロッドのように前後方向の荷重をしっかりと受け止めることができるとともに、上下動ばねの急激な上昇を招くことがないので、自動車の加速こもり音を十分に抑制することができる。
【発明を実施するための最良の形態】
【００２６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２７】
（マウントシステムの全体構成）
図１及び図２は、本発明の実施形態に係る防振マウント装置を用いたエンジンマウントシステムの概略構成を示し、両図において符号Ｐは、エンジン１及び変速機２が直列に結合されてなるパワープラントである。このパワープラントＰは、その長手方向（エンジン１のクランク軸の延びる方向）が車幅方向（車体の左右方向）となるように、図示しない自動車のエンジンルームに横置きに搭載されていて、その長手方向両端部、即ちエンジン１側及び変速機２側の各端部にそれぞれ配設されたマウント３，５を介して、車体サイドフレーム６，７に対し２箇所で弾性支持されている。また、パワープラントＰの下端部は、前記マウント３，５とは独立のトルクロッド８によって後方の車体側部材９（サブフレーム等）に連結されている。
【００２８】
図１は、前記エンジン１の吸排気系や補機等を全て省略して、本体部のみを車体後方の斜め右側上方から見たものであり、エンジン１本体部は、概略シリンダブロック１０とその上部に配設されたシリンダヘッド１１とからなり、変速機２とは反対の長手方向の端部（同図１おいて手前側に示す車体右端部）にベルトカバー１２が配設され、シリンダヘッド１１の上部にはヘッドカバー１３が配設されるとともに、シリンダブロック１０の下部にはオイルパン（図示せず）が配設されている。そして、前記シリンダヘッド１１の右側壁にはベルトカバー１２を貫通してエンジン側マウントブラケット１５の下端側が締結され、そこから上方に向かって延びる該マウントブラケット１５の上端部に、マウント３側から延びるフランジ板３１ｂが上方から重ね合わされた状態で締結されている。このエンジン側マウント３が本願発明の防振マウント装置であり、その詳しい構成については後述する。
【００２９】
前記変速機２は、この実施形態ではトルクコンバータや変速ギヤ列の他にディファレンシャルも一体となった自動変速機であり（手動変速機やＣＶＴでもよい）、変速機ケース２０のベルハウジング２０ａがエンジン１のクランク軸側端部にてシリンダブロック１０に連結されるとともに、そのベルハウジング２０ａの後方に形成された膨出部２０ｂから左右両側に向かって、それぞれ、自動車の前車輪を駆動するためのドライブシャフト２２，２２が延びている。そして、先すぼまりの変速機ケース２０の先端部近傍をマウントブラケット２３により車体左側のサイドフレーム７から吊り下げるようにして、変速機側マウント５が配設されている。
【００３０】
前記のようにエンジン１及び変速機２を直列に結合してなるパワープラントＰでは、エンジン１の方が変速機２よりも背が高いことから、長手方向に延びるロール軸Ｒ（ロール慣性主軸）は、図に一点鎖線で示すように、エンジン１側の端部から変速機２側に向かって下向きに傾斜している。また、この実施形態では、パワープラントＰの重量を受け持つ２つのマウント３，５がそれぞれロール軸Ｒから上方に離間しており、このことで、パワープラントＰは、前記２つのマウント３，５の荷重の支持点を結ぶ線分Ｌ（揺動支軸：図２参照）の周りに振り子（ペンデュラム）のように揺動可能になっている。
【００３１】
そして、例えば自動車の急加速時や急減速時のように大きな駆動反力（トルク）が作用すると、パワープラントＰは、図２に白抜きの矢印で模式的に示すように概ねロール軸Ｒの周りに回動（ローリング）しながら、全体としては上方の揺動軸Ｌを中心として振り子のように前後に揺れようとするが、そのようなローリングや全体的な揺れは主にパワープラントＰの下端部に配設されたトルクロッド８によって規制されるとともに、左右のマウント３，５にそれぞれ配設された揺動規制機構４（図３〜５参照）によっても規制されることになる。
【００３２】
すなわち、この実施形態では、前記のようにパワープラントＰの下端部に配置した独立のトルクロッド８の他に、左右のマウント３，５にもそれぞれトルクロッドと同様の機能を有する揺動規制機構を設けており、パワープラントＰが加速時の駆動反力等によってローリングして、大きな前後方向荷重がマウント３，５に入力しても、この荷重を前記揺動規制機構により受け止めて、パワープラントＰの揺れをより確実に規制できるようになっている。
【００３３】
（エンジン側マウントの構造）
次に、エンジン側及び変速機側の２つのマウント３，５のうち、エンジン側マウント３についての詳細な構造を図３〜５に基づいて説明する。ここで、図３はエンジン側マウント３の上面図であり、図４は左側面図である。また、図５は、マウント本体部３０の一部分を切り欠いて、その内部構造を示す部分断面図である。尚、変速機側マウント５についての詳しい説明は省略するが、その基本的な構造は従来周知のものである。
【００３４】
まず、図５に示すように、この実施形態ではエンジン側のマウント３はいわゆる液体封入式のものであり、パワープラントＰの静荷重を受けるマウント本体部３０は、該パワープラント側に連結される金属製ケーシング３１（パワープラント側部材）と車体側の連結金具３２とをゴム弾性体３３により連結してなる。前記ケーシング３１は、例えばアルミニウム合金製であり、上下方向に延びるように配置された厚肉円筒状のケーシング本体３１ａ（外壁部）と、その上側外周から軸線Ｚに略直交する方向に延びるフランジ板３１ｂとが鋳造等により一体形成されている。
【００３５】
また、前記連結金具３２は、上すぼまりの略円錐形状とされ、その上端部が前記ケーシング本体３１ａの下端開口部の略中心に位置するように略同軸に配置されていて、テーパ状の側面部とその外周に対向するケーシング本体３１ａの内周面との間にゴム弾性体３３が介設されている。一方、該連結金具３２の下端面には、車体サイドフレーム６の上面に固定される車体側マウントブラケット３４の上方隆起部３４ａが接合されて、両者がボルト３５により締結されている。
【００３６】
前記ゴム弾性体３３の下部内周側にはすり鉢状の凹部が形成されていて、この凹部の周面が前記連結金具３２のテーパ状側面部に接着されている。ゴム弾性体３３は該連結金具３２の全周から外方に向かって放射状に拡がり、且つ斜め上方向に延びる略円錐台状のものであり、その上側の部分の外周面がケーシング本体３１ａの内周面に接着されている。このようにケーシング本体３１ａの内周に接着固定されているゴム弾性体３３の上側の部分は、上方に向かって開口する比較的厚肉の円筒状とされ、その上端部がケーシング本体３１ａの上端部よりも所定長さ、下方に位置している。
【００３７】
そして、前記ゴム弾性体３３の上端部には円板状の仕切り板３６が上方から重ね合わされ、さらに、その上方から該仕切り板３６全体を覆うように概略ハット形状のゴム製ダイヤフラム３７が配設されている。これにより、ゴム弾性体３３の上端開口部が液密に閉塞されて、その内部に空洞部が形成されている。また、前記ダイヤフラム３７の外周側には概略円筒状の補強板３８が埋設されており、これにより補強された外周部がケーシング本体３１ａの上端側に上方から圧入されて、内嵌合状態で固定されている。
【００３８】
前記のようにしてゴム弾性体３３の内部に区画された空洞部にはエチレングリコール等の緩衝液が封入されていて、ゴム弾性体３３に入力するパワープラントＰの振動を吸収、緩和するための液室Ｆが形成されている。この液室Ｆの内部は前記の仕切り板３６によって上下に仕切られていて、その下側が、ゴム弾性体３３の変形に伴い容積が拡大又は縮小する受圧室になる。また、液室Ｆの上側は、ダイヤフラム３７の変形によって容積が拡大又は縮小されて、前記受圧室における容積の変動を吸収する平衡室になる。
【００３９】
すなわち、前記仕切り板３６の外周部上方には、ケーシング本体３１ａとダイヤフラム３７の鍔部及び内筒部とによって囲まれた円環状オリフィス通路３９が周方向に延びるように形成され、このオリフィス通路３９の一方の端が液室３８下側の受圧室に臨んで開口する一方、オリフィス通路３９の他方の端が液室３８上側の平衡室に臨んで開口している。そして、それら受圧室及び平衡室の緩衝液がオリフィス通路３９を介して相互に流通することによって、ゴム弾性体３３から受圧室に作用する低周波の振動が減衰されるようになっている。
【００４０】
（揺動規制機構）
前記の如き構造のマウント本体部３０に加えて、図３〜５にそれぞれ示すように、エンジン側マウント３には、本願発明の特徴部分である揺動規制機構４が一体的に設けられている。尚、詳しい説明は省略するが、同様の機能を有する揺動規制機構が変速機側マウント５にも設けられている。
【００４１】
まず、鋼板等をプレス成形してなる逆Ｕ字状のストッパ金具４０（車体側部材）が前記マウント本体部３０の上方を前後に跨ぐようにして、車体サイドフレーム６に取り付けられている。このストッパ金具４０は、マウント本体部３０の上方で略水平に前後方向に延びる梁部４０ａと、その前後両端部からそれぞれ下方に折れ曲がって下方に延びる前後一対の脚部４０ｂ、４０ｃとを有している。この前後一対の脚部４０ｂ、４０ｃの各下端部がそれぞれ折り曲げられてフランジ部４０ｄ，４０ｄとされ、この前後のフランジ部４０ｄ，４０ｄがそれぞれマウント本体部３０の前方及び後方で、車体側マウントブラケット３４のフランジ部３４ｂ，３４ｂに重ね合わされた状態で、図示しないボルトによりサイドフレーム６上に締結されている。
【００４２】
尚、前記各図には、マウント本体部３０に荷重の作用していない状態を示しており、この状態では該マウント本体部３０のケーシング３１上面とストッパ金具４０の梁部４０ａとが近接しているが、エンジン側マウント３が車体に取り付けられて、マウント本体部３０にパワープラントＰの静荷重が加わる１Ｇ状態では、図示しないが、ゴム弾性体３３が撓んでケーシング３１が下方に変位するので、その上面とストッパ金具４０の梁部４０ａとの間に所定の間隔が形成されることになる。
【００４３】
一方、前記マウント本体部３０には、前記ストッパ金具４０の前後の脚部４０ｂ，ｃにそれぞれ対応するように、ケーシング本体３１ａの外周面における前端及び後端の各上端部に各々ストッパゴム４１，４２が設けられている。これら前後のストッパゴム４１，４２は、それぞれ前後方向に対向するストッパ金具４０の前後の脚部４０ｂ，４０ｃに当接することによって、ケーシング本体３１ａの前後方向への移動を制限するものであるが、特に後側ストッパゴム４２は、その内部に以下に述べる特徴的な態様ですぐり４３が形成され且つ芯体４４が埋設されており、これによりトルクロッドと同等の機能を発揮するようになっている。
【００４４】
また、前記前後のストッパゴム４１，４２には、それぞれケーシング本体３１ａの上面から上方に盛り上がる上方膨出部４１ａ，４２ａが連繋して設けられており、これらがそれぞれストッパ金具４０の梁部４０ａに下方から当接することによって、ケーシング本体３１ａの上方への移動を制限するようになっている。一方、ケーシング本体３１ａの下端部外周にはゴム弾性体３３と連繋するようにして環状のゴム層４５が形成されていて、その前後両端部がそれぞれ下方に膨出しており、この下方膨出部４５ａ，４５ｂがそれぞれ車体側マウントブラケット３４の上方隆起部３４ａに当接することによって、ケーシング本体３１ａの下方への移動を制限するようになっている。
【００４５】
ここで、前記後側ストッパゴム４２の構造について、図６を参照して詳細に説明する。同図(a)に示すように、後側ストッパゴム４２は、マウント本体部３０の製造過程でケーシング本体３１ａの外周面に加硫接着されるゴム塊の内部に上下に貫通する縦長のすぐり４３（中空部）を形成するとともに、これに隣接するようにして矩形板状の金属製芯体４４を配設し、この両者が協働することによって、前後方向の押圧力を支持しながら比較的容易に剪断変形できるようにしたものである。
【００４６】
詳しくは、前記後側ストッパゴム４２は全体として矩形のブロック形状を有し、上下方向に見て矩形断面のすぐり４３（図３参照）を前後に挟んで、前側に位置するゴムブロック部４２ｂと、後側に位置するゴム壁部４２ｃとを備えている。そして、そのゴム壁部４２ｃの内面（すぐり４３の後側を囲む内壁面）の相対的に下側の部位が該すぐり４３の内方に向かって膨出し、少なくとも一部分が該膨出部４２ｄ内に含まれるように芯体４４が埋設されている。すなわち、図６(a)の如く左右方向に見ると、前記すぐり４３は、その前後方向の長さが上下で異なる段付形状になっている（２段すぐり）。
【００４７】
この構成により、同図(b)に示すように、前記後側ストッパゴム４２の後端面がストッパ金具４０の後側脚部４０ｃに当接して前後方向の押圧力を受けるときには、すぐり４３の後方の内壁面において略半分以上の面積を有する膨出部４２ｄが前側のゴムブロック部４２ｂに当接して、前後方向の力をしっかりと受け止める。このとき、その膨出部４２ｄ内に剛性の高い芯体４４が埋設されていることから、その上方に位置するすぐり４３の上側の部分が潰れずに残って、その側方のゴム部が比較的容易に弾性変形するようになる。
【００４８】
そのため、前後方向に圧縮されているゴムブロック部４２ｂやゴム壁部４２ｃが弾性変形し難い状態であっても、前記すぐり４３の潰れずに残っている上側部分が拡縮して、芯体４４がリンクのように左右方向の軸の周りに回動（リンク作動）可能となり、これにより、後側ストッパゴム４２全体が比較的容易に上下方向に剪断変形することができるので、マウント本体部３０とストッパ金具４０との間の上下振動を十分に吸収できるものである。
【００４９】
（作用効果）
したがって、この実施形態に係る防振マウント装置（エンジン側マウント３）によると、例えば自動車が停止していてエンジン１がアイドル運転状態にあるときには、トルク変動等に起因する低周波のアイドル振動がマウント本体部３０のゴム弾性体３３により吸収され、車体への振動伝達が抑制される。このときに例えばエンジン側マウント３では、マウント本体部３０のストッパゴム４１，４２等がストッパ金具４０から離間しているので、これらを介してアイドル振動が車体側に伝達されることもない。
【００５０】
一方、例えば自動車の急加速時のように大きな駆動反力（トルク）が作用すると、パワープラントＰは、図２に白抜きの矢印で模式的に示すように概ねロール軸Ｒの周りに回動（ローリング）しながら、全体としては上方の揺動支軸Ｌを中心として振り子のように前後に揺れようとする。このときに、そのロール軸Ｒ周りの回動変位は、パワープラントＰ下端部の独立のトルクロッド８によって規制されるとともに、左右のマウント３，５の揺動規制機構によっても規制され、これにより該パワープラントＰの揺れが効果的に抑えられる。
【００５１】
その際、例えばエンジン側マウント３の揺動規制機構４においては、後側ストッパゴム４２がストッパ金具４０に当接して前後方向の圧縮力を受ける状態になるため、このゴム４２を介してパワープラントＰの上下振動が車体側に伝達される懸念があるが、上述したように後側ストッパゴム４２は、その内部の２段すぐり４３と芯体４４とが協働して該芯体４４がリンク作動することで、前後方向の圧縮力を受けていても比較的容易に上下に剪断変形することができる。このことで、ストッパが作動してもマウント３全体の上下動ばねの上昇はかなり小さなものとなり、前記エンジンの急加速によってパワープラントＰの上下振動が大きくなっても、この上下振動の車体側への伝達は効果的に抑制され、車室内の加速こもり音が特に大きくなることはない。
【００５２】
図７は、前記のように自動車の加減速に伴いストッパが作動して、その前後で防振マウントのばね特性が変化する様子を調べたものであり、同図(a)は、前後方向の静ばねの変化を連続的に示す荷重−変位（撓み）曲線で、同図(b)は、ストッパ作動前後の上下方向動ばねの変化を示すものである。
【００５３】
図(a)に実線(I)で示すのは、従来一般的なソリッドゴムのストッパについてのもので、加速度が低くてストッパが作動するまでは、グラフの傾きが緩くて、ばねが柔らかいが、ストッパが作動すると（図示の点Ｓ１）グラフの傾きが急峻に立ち上がっており、圧縮されたゴムの剛性が急激に高くなっていることが分かる。そして、そのように前後の静ばねが高くなるときには自ずと上下方向についてもばね定数が高くなるので、図に一点鎖線で示すように、自動車の所定の加速状態に対応する設定荷重が作用した状態では、同図(b)に実線(I)で示すように上下動ばねが急上昇して、上下振動の吸収性能が大幅に悪化してしまう（前後方向荷重が作用しないときの上下動ばねは点線で示す）。
【００５４】
また、前記図(a)に破線(II)で示すのは、従来例（特許文献５，６）のようにストッパゴムにすぐり（空洞部）を設けて、部分的に剛性を低下させたものであり、このものではストッパ作動（Ｓ２）初期の前後ばねの上昇が前記ソリッドゴム(I)に比べて緩やかなので、前記設定荷重が作用したときでもグラフの傾きは比較的緩く、ソリッドゴムに比べれば柔らかなばね特性となっている。しかし、この場合も、ストッパゴムの前後ばね定数の上昇に対応して図(b)に破線(II)で示すように上下の動ばねが高くなってしまい、上下振動の吸収性能が悪化することは避けられない。
【００５５】
これに対し、この実施形態のストッパゴム４２の場合は、上述の如く芯体４４がリンク作動することによって、トルクロッドと同様に前後方向の力をしっかりと受け止めながら、上下動ばねの上昇は十分に抑えることができるので、前後方向に前記設定荷重が作用した状態でも、上下方向については図(b)に二点差線(III)で示すように前後荷重の作用しないときに近い低い動ばねとなることが分かる。
【００５６】
つまり、この実施形態に係る防振マウント装置３の揺動規制機構４によると、従来一般的なストッパ機構と同様の簡単な構造でコストアップを防止しながら、ストッパゴム４２に埋設した芯体４４のリンク作動によって、トルクロッドと同様の機能を得ることができ、これによりパワープラントＰの揺れを効果的に規制しながら、そのときでもマウント３による上下振動の吸収性能を十分に維持して、これにより加速こもり音の増大を防止することができる。
【００５７】
また、この実施形態では、防振マウント３のマウント本体部３０の上方を跨ぐように逆Ｕ字状のストッパ金具４０を配設するとともに、前記マウント本体部３０のケーシング３１に前後及び上下のストッパゴム４１，４２，４５を一体に形成しており、このことによってもコストの低減が図られている。
【００５８】
（他の実施形態）
尚、本発明の構成は、前記実施形態に限定されるものではなく、その他の種々の実施形態を包含するものである。すなわち、前記の実施形態では、後側ストッパゴム４２に埋設する芯体４４を金属製の矩形板状のものとしているが、これに限らず、芯体４４の材料はゴムよりも剛性の高いものであればよいから、例えば樹脂製としてもよい。
【００５９】
また、芯体４４の形状は矩形板状でなくてもよく、例えば、図８に示すように上方から見て、左右方向の略中央部が前方に突出するような断面形状のものとしてもよい。こうすれば、すぐり４３の内方に膨出する膨出部４２ｄも左右の中央部が前方に突出するようになり、前後に押圧された状態で前方のゴムブロック部４２ｂとの当接面積が減少するので、芯体４４がさらに動きやすくなる。
【００６０】
また、前記実施形態の後側ストッパゴム４２では、すぐり４３を上下に貫通形成し、その下側に膨出部４２ｄを設けているが、これに限らず、膨出部４２ｄをすぐり４３の上側に設けることもできる。また、前記後側ストッパゴム４２では、芯体４４をゴム壁部４２ｃに埋設しているが、ゴムブロック部４２ｂに埋設することも可能であり、こうすれば、芯体４４は主にストッパ金具４０に対して相対回動するようになる。
【００６１】
さらに、前記実施形態では、前後のストッパゴム４１，４２のうちの後側ストッパゴム４２のみにすぐり４３及び芯体４４を設けているが、これに限らず前側ストッパゴム４１も同様の構造とすることができる。
【００６２】
さらにまた、前記実施形態では、ストッパゴム４２内に形成したすぐり４３との協働によって芯体４４をリンク作動させるようにしているが、必ずしもこれに限るものではない。すなわち、図９に模式的に示すようにストッパゴム４２内に埋め込んだ芯体４４の前後方向の長さＡが上下方向の長さＢに比べて長いときには（Ａ≧Ｂ）、前後方向の圧縮力を受けていても該芯体４４が左右方向の軸周りに比較的容易に回動するようになり、これにより、前記実施形態と同様の作用効果が得られるものである。
【００６３】
加えて、前記の実施形態では、エンジン側マウント３を液体封入式のものとしているが、これに限るものではなく、例えばマウント本体部３０から仕切り板３６やダイヤフラム３７を取り去って、パワープラントＰの静荷重をゴム弾性体３３のみによって支持するようにしてもよいことは言うまでもない。
【図面の簡単な説明】
【００６４】
【図１】エンジンマウントシステムの概略構成を示す斜視図である。
【図２】パワープラントを車体左側から見て、駆動反力（トルク）の作用する様子を模式的に示す説明図である。
【図３】エンジン側マウントの構造を拡大して示す上面図である。
【図４】図３の左側面図である。
【図５】マウント本体部の内部構造を示す部分断面図である。
【図６】揺動規制機構の構造及び作動を模式的に示す拡大断面図である。
【図７】(a)は、自動車の加減速に伴うマウントの前後静ばね特性の変化を示す荷重−変位グラフであり、(b)は、ストッパ作動前後の上下動ばね特性の変化を示すグラフである。
【図８】芯体の形状に特徴のある他の実施形態に係る図３相当図である。
【図９】すぐりを設けないようにした他の実施形態に係る図６相当図である。
【符号の説明】
【００６５】
Ｐ      パワープラント
３      エンジン側マウント（防振マウント装置）
４      揺動規制機構
６      サイドフレーム
３０    マウント本体部
３１    ケーシング（パワープラント側部材）
４０    ストッパ金具（車体側部材）
４０ｃ  後側脚部（車体側部材）
４２    後側ストッパゴム（前後力受部材）
４２ｂ  ゴムブロック部
４２ｃ  ゴム壁部
４２ｄ  膨出部
４３    すぐり（中空部）
４４    芯体
【図１】
2005221015.tif 000003
【図２】
2005221015.tif 000004
【図３】
2005221015.tif 000005
【図４】
2005221015.tif 000006
【図５】
2005221015.tif 000007
【図６】
2005221015.tif 000008
【図７】
2005221015.tif 000009
【図８】
2005221015.tif 000010
【図９】
2005221015.tif 000011